【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
隣り合うロータ羽根（３０）のプラットフォーム（５０）の間において周方向の取り付けスロット（５４）に挿入されるロック用スペーサアセンブリ（１００）であって、
隣り合うロータ羽根（３０）のプラットフォーム（５０）の間の空間にはまり込むように構成され、外面（１５２ｂ）、内面（１５２ａ）および、半径方向に対しておおむね垂直に配向されたき第１の平面（１５４）を有しており、前記外面（１５２ｂ）が前記取り付けスロット（５４）に突出するように構成された外形を有している第１の端部ピース（１５２）と、
前記プラットフォーム（５０）の間の前記空間にはまり込むように構成され、外面（１５８ｂ）、内面（１５８ａ）および、半径方向に対しておおむね垂直に配向されたき第２の平面（１６０）を有しており、前記外面（１５８ｂ）が前記取り付けスロット（５４）に突出するように構成された外形を有しており、前記内面（１５８ａ）が前記第１の端部ピース（１５２）の前記内面（１５２ａ）におおむね面する第２の端部ピース（１５８）と、
前記内面（１５２ａ、１５８ａ）の間を移動可能であり、突出部（１６６）を備えており、該突出部（１６６）が、該突出部（１６６）に形成されて前記第１の平面（１５４）と前記第２の平面（１６０）の各々に係合するように構成された第１の表面（１６８）および第２の表面（１７０）を備えており、該第１および第２の表面（１６８、１７０）が径方向に対しておおむね垂直であるアクチュエータ（１６４）と、
前記突出部（１６６）の前記第１の表面（１６８）および前記第２の表面（１７０）の間に横方向に定められ、前記第１の表面（１６８）および前記突出部（１６６）の間に半径方向に定められ、前記第２の表面（１７０）および前記突出部（１６６）の間に半径方向に定められた凹部（２１０）と、
を備えるロック用スペーサアセンブリ（１００）。
【請求項２】
前記内面（１５２ａ、１５８ａ）の間に挿入されるように構成されたスペーサブロック（１７２）をさらに備え、該スペーサブロック（１７２）が、前記アクチュエータ（１６４）を受け入れるように構成された空洞（１７４）を定めている請求項１に記載のロック用スペーサアセンブリ（１００）。
【請求項３】
前記スペーサブロック（１７２）を前記アクチュエータ（１６４）に固定するように構成された固定具（１８４）をさらに備える請求項２に記載のロック用スペーサアセンブリ（１００）。
【請求項４】
前記第１および第２の端部ピース（１５２、１５８）の前記内面（１５２ａ、１５８ａ）に形成された凹所（１５７、１６３）をさらに定めており、前記スペーサブロック（１７２）が、側方に延びるカラー（１７７）をさらに備え、該カラー（１７７）が、前記スペーサブロック（１７２）が前記内面（１５２ａ、１５８ａ）の間に挿入されるときに前記凹所（１５７、１６３）に受け入れられるように構成されている請求項２に記載のロック用スペーサアセンブリ（１００）。
【請求項５】
前記凹所（１５７、１６３）から径方向に延びるくぼみ（２０２、２０４）をさらに定めるとともに、前記カラー（１７７）から径方向に延びる突起（２０６）をさらに備えており、該突起（２０６）が、前記スペーサブロック（１７２）が前記内面（１５２ａ、１５８ａ）の間に挿入されるときに前記くぼみ（２０２、２０４）に受け入れられるように構成されている請求項４に記載のロック用スペーサアセンブリ（１００）。
【請求項６】
前記アクチュエータ（１６４）に取り付けられるように構成されたカラーアセンブリ（２３０）をさらに備える請求項１乃至５のいずれかに記載のロック用スペーサアセンブリ（１００）。
【請求項７】
前記カラーアセンブリ（２３０）を前記アクチュエータ（１６４）に固定するように構成された固定具（２４０）をさらに備える請求項６に記載のロック用スペーサアセンブリ（１００）。
【請求項８】
前記第１および第２の端部ピース（１５２、１５８）の前記内面に形成された凹所をさらに定めており、前記カラーアセンブリ（２３０）が、側方に延びるカラー（２３２）をさらに備え、該カラー（２３２）が、前記スペーサブロックが前記内面の間に挿入されるときに前記凹所に受け入れられるように構成されている請求項６に記載のロック用スペーサアセンブリ（１００）。
【請求項９】
前記凹所から径方向に延びるくぼみをさらに定めるとともに、前記カラー（２３２）から径方向に延びる突起（２３６）をさらに備えており、該突起（２３６）が、前記スペーサブロックが前記内面の間に挿入されるときに前記くぼみに受け入れられるように構成されている請求項８に記載のロック用スペーサアセンブリ（１００）。
【請求項１０】
周方向に延びる連続的な取り付けスロット（５４）を定めている前側および後ろ側ポスト（５６）を備えているロータディスク（２８）と、
複数のプラットフォーム（５０）のうちの１つからそれぞれ延びており、前記複数のプラットフォーム（５０）の各々が内側に延びている根元によって前記取り付けスロット（５４）に固定される複数のロータ羽根（３０）と、
前記複数のプラットフォーム（５０）のうちの少なくとも２つの間の空間に配置されるロック用スペーサアセンブリ（１００）と
を備えるロータアセンブリであって、
前記ロック用スペーサアセンブリ（１００）が、
隣り合うロータ羽根（３０）のプラットフォーム（５０）の間の空間にはまり込むように構成され、外面（１５２ｂ）、内面（１５２ａ）および、半径方向に対しておおむね垂直に配向されたき第１の平面（１５４）を有しており、前記外面（１５２ｂ）が前記取り付けスロット（５４）に突出するように構成された外形を有している第１の端部ピース（１５２）と、
前記プラットフォーム（５０）の間の前記空間にはまり込むように構成され、外面（１５８ｂ）、内面（１５８ａ）および、半径方向に対しておおむね垂直に配向されたき第２の平面（１６０）を有しており、前記外面（１５８ｂ）が前記取り付けスロット（５４）に突出するように構成された外形を有しており、前記内面（１５８ａ）が前記第１の端部ピース（１５２）の前記内面（１５２ａ）におおむね面する第２の端部ピース（１５８）と、
前記内面（１５２ａ、１５８ａ）の間を移動可能であり、突出部（１６６）を備えており、該突出部（１６６）が、該突出部（１６６）に形成されて前記第１の平面（１５４）と前記第２の平面（１６０）の各々に係合するように構成された第１の表面（１６８）および第２の表面（１７０）を備えており、該第１および第２の表面（１６８、１７０）が径方向に対しておおむね垂直であるアクチュエータ（１６４）と、
前記突出部（１６６）の前記第１の表面（１６８）および前記第２の表面（１７０）の間に横方向に定められ、前記第１の表面（１６８）および前記突出部（１６６）の間に半径方向に定められ、前記第２の表面（１７０）および前記突出部（１６６）の間に半径方向に定められた凹部（２１０）と、
を備えているロータアセンブリ。
【請求項１１】
前記第１の端部ピース（１５２）の前記内面（１５２ａ）に形成された第１の平面（１５４）および前記第２の端部ピース（１５８）の前記内面（１５８ａ）に形成された第２の平面（１６０）をさらに備え、該第１および第２の平面（１５４、１６０）が、径方向に対しておおむね垂直であり、前記アクチュエータ（１６４）の前記第１の表面（１６８）が、前記第１の平面（１５４）に係合するように構成され、前記アクチュエータ（１６４）の前記第２の表面（１７０）が、前記第２の平面（１６０）に係合するように構成されており、
前記突出部（１６６）の前記第１の表面（１６８）と前記第２の表面（１７０）との間に定められた凹部（２１０）をさらに備え、
前記内面（１５２ａ、１５８ａ）の間に挿入されるように構成されたスペーサブロック（１７２）をさらに備え、該スペーサブロック（１７２）が、前記アクチュエータ（１６４）を受け入れるように構成された空洞（１７４）を定めており、
前記第１および第２の端部ピース（１５２、１５８）の前記内面（１５２ａ、１５８ａ）に形成された凹所（１５７、１６３）をさらに定めており、前記スペーサブロック（１７２）が、側方に延びるカラー（１７７）をさらに備え、該カラー（１７７）が、前記スペーサブロック（１７２）が前記内面（１５２ａ、１５８ａ）の間に挿入されるときに前記凹所（１５７、１６３）に受け入れられるように構成されており、
前記アクチュエータ（１６４）に取り付けられるように構成されたカラーアセンブリ（２３０）をさらに備え、
前記第１および第２の端部ピース（１５２、１５８）の前記内面に形成された凹所をさらに定めており、前記カラーアセンブリ（２３０）が、側方に延びるカラー（２３２）をさらに備え、該カラー（２３２）が、前記スペーサブロックが前記内面の間に挿入されるときに前記凹所に受け入れられるように構成されている請求項１０に記載のロータアセンブリ。
【請求項１２】
圧縮機部分と、
タービン部分と、
前記圧縮機部分と前記タービン部分との間の燃焼器部分と
を備えており、
前記圧縮機部分または前記タービン部分の一方が、
周方向に延びる連続的な取り付けスロット（５４）を定めている前側および後ろ側ポストを備えているロータディスク（２８）と、
複数のプラットフォーム（５０）のうちの１つからそれぞれ延びており、前記複数のプラットフォーム（５０）の各々が内側に延びている根元によって前記取り付けスロット（５４）に固定される複数のロータ羽根（３０）と、
前記複数のプラットフォーム（５０）のうちの少なくとも２つの間の空間に配置されるロック用スペーサアセンブリ（１００）と
を備え、
前記ロック用スペーサアセンブリ（１００）が、
隣り合うロータ羽根（３０）のプラットフォーム（５０）の間の空間にはまり込むように構成され、外面（１５２ｂ）、内面（１５２ａ）および、半径方向に対しておおむね垂直に配向されたき第１の平面（１５４）を有しており、前記外面（１５２ｂ）が前記取り付けスロット（５４）に突出するように構成された外形を有している第１の端部ピース（１５２）と、
前記プラットフォーム（５０）の間の前記空間にはまり込むように構成され、外面（１５８ｂ）、内面（１５８ａ）および、半径方向に対しておおむね垂直に配向されたき第２の平面（１６０）を有しており、前記外面（１５８ｂ）が前記取り付けスロット（５４）に突出するように構成された外形を有しており、前記内面（１５８ａ）が前記第１の端部ピース（１５２）の前記内面（１５２ａ）におおむね面する第２の端部ピース（１５８）と、
前記内面（１５２ａ、１５８ａ）の間を移動可能であり、突出部（１６６）を備えており、該突出部（１６６）が、該突出部（１６６）に形成されて前記第１の平面（１５４）と前記第２の平面（１６０）の各々に係合するように構成された第１の表面（１６８）および第２の表面（１７０）を備えており、該第１および第２の表面（１６８、１７０）が径方向に対しておおむね垂直であるアクチュエータ（１６４）と、
前記突出部（１６６）の前記第１の表面（１６８）および前記第２の表面（１７０）の間に横方向に定められ、前記第１の表面（１６８）および前記突出部（１６６）の間に半径方向に定められ、前記第２の表面（１７０）および前記突出部（１６６）の間に半径方向に定められた凹部（２１０）と、
を備えているターボ機械。